(57)【特許請求の範囲】
【請求項１】
フックは雌部材１、雄部材２、取付部材３から形成され、雌部材１は基板５の一端に表面側へ隆起する隆起部６を形成し、隆起部６に取付孔７を設け、隆起部６に近接した基板５の両側にフック状の係止片８を内向状に設け、雄部材２は基板１１の側面は係止片８が遊嵌できる凹欠部１２を設け、凹欠部１２の終端に係止片８と掛止できる係止突部１３を横設し、基板１１に取付孔１４を設け、取付部材３は平坦な座板１８の一面に雌雄部材１、２の取付孔７、１４に挿入できる取付柱１９を突設してなることを特徴とする衣服用フック。
【請求項２】
雌部材１の基板５に配設する係止片８の端部と隆起部６との間に水平状の平坦部１０を形成し、平坦部１０は雄部材２の係止突部１３の大きさに略等しく雄部材２が水平に戴置できる形に形成してなる請求項１記載の衣服用フック。
【請求項３】
雌部材１の基板５に配設する係止片８の端部と隆起部６との間に水平状の平坦部１０を形成し、平坦部１０から基板５の先端にかけて全体が緩やかに傾斜する斜面１６に形成してなる請求項１記載の衣服用フック。
【発明の詳細な説明】
【０００１】
【発明の属する技術分野】
この発明は、衣服用のズボン、スカートなどのウエストの重ね合わせ部分、すなわち袋状に縫成されたウエストベルトに取り付け、係脱自在に掛止できる衣服用フックに関するものである。
【０００２】
【従来の技術】
従来のこの種の衣服用フックは、図２５に示すように矩形の基板の中央に段部のある取付孔を設け、取付孔の両側に対向した突出壁を有する嵌合溝を形成した雌部材と、嵌合溝に挿入して係合できる縁部のある突出板を設け、突出板の中央に段部のある取付孔を設けるとともに、突出板の一端に前記基板と同一幅の当接部を設けて差し込みを規制した雄部材と、座板の中央に取付脚部を設けて雌雄部材を生地にかしめ固定する合成樹脂製の衣服用フックが実公平３−５７１２５号公報に開示されている。
【０００３】
さらに図２６に示すように、雌部材は平坦な基板の一端に一定幅をもつフック状の係止片を対向状に設け、この平坦な基板に対し、側面に凹状の凹欠部を形成し、この凹欠部を係止片に遊嵌できるように形成した雄部材を平行状に差し込むことができるタイプの衣服用フックが特開２０００−４１７１０号公報に開示されている。
【０００４】
【発明が解決しようとする課題】
前項で述べた図２５に示す衣服用フックは、雌部材と雄部材とを掛止したとき、雌部材の突出壁と雄部材の当接部との当接点すなわち衝合面が、雌部材の生地への取付用の取付脚部すなわち取付中心点よりも後端側へ間隔をおいた状態で掛止するため、雄部材を取り付けた生地を雌雄部材が掛止した状態で引っ張ると、それにつれて掛止状態の雌雄部材が簡単に転倒し、取付部分の生地を盛り上げ、または皺がより、衣服の外観上からしても不体裁である。
【０００５】
また雌部材の突出壁に雄部材の突出板を差し込むとき、突出壁に突出板を平行状に密接させて行うので、差込操作の際、ゆとりがなく操作が面倒である。さらに雌部材と雄部材とが掛止したとき、雌部材の突出壁から雄部材の突出板が簡単に抜脱できないように規制する機構がないため、掛止状態が不安定であるなど問題点がある。
【０００６】
さらに図２６に示す衣服用フックも、雌部材の基板に設けたフック状の係止片に対し、雄部材に設けた凹欠部を嵌挿する形で、基板に平行状に密接させて差し込むので、差し込み操作が面倒であること、また基板には差し込み後の雄部材の抜脱を阻止する機構がなく、基板が平坦であるから雄部材が簡単に抜脱し不安であること、さらに雌部材は裏側に取付柱を突設してあるため、生地によって包まれた僅かな内部空間を備えた袋状のウエストベルトに雌部材を取付けるには、まず袋状のウエストベルト内に座板を入れ、次いで取付柱を生地に刺通して座板の取付孔へ挿入した後に、取付柱の先端を圧潰する作業を必要とし、取付柱を圧潰するためのパンチを座板とともに袋状のウエストベルト内へ配置しなければならず、袋状のウエストベルト内の狭い空間にパンチを配置することは非常に困難であるなど問題点がある。
【０００７】
この発明は、上述の問題点を考慮して発明されたものであり、請求項１記載の発明は、雌部材と雄部材の掛止時においては雄部材が無闇に雌部材から抜脱するのを防ぐ機構を備え、安定した状態の掛止状態を的確に維持でき、かつ衣服などの袋状に縫製したウエストベルトへの取り付けを自動機によって簡易に取り付けることができる体裁のよい衣服用フックを提供することが主たる目的である。
【０００９】
請求項２記載の発明は、請求項１記載の発明の目的に加え、ウエストベルトに取り付けた雌部材に対し、雄部材を差し込んだとき、雌部材と雄部材が揺動することがなく確実に掛止状態を維持し、雄部材を雌部材に対し安定した水平状態に保持できる衣服用フックの雌部材を提供することが目的である。
【００１０】
請求項３記載の発明は、請求項１記載の発明の目的に加え、ウエストベルトに取り付けた雌部材に対し、雄部材を円滑に差し込むことができ、雌雄部材の係脱操作がゆとりをもって簡単に行える衣服用フックの雌部材を提供することが目的である。
【００１２】
【課題を解決するための手段】
前記の目的を達成するため、この発明のうち請求項１記載の発明は、衣服用フックは雌部材１と雄部材２および取付部材３から形成され、雌部材１は平板状の基板５の一端に表面側へ隆起する隆起部６を形成し、この隆起部６に生地Ｃに取り付けるための取付孔７を設け、隆起部６に近接した部分の基板５の両側にフック状の係止片８を内向状に突設する。
【００１３】
一方雄部材２は基板１１から形成し、側面は雌部材１の係止片８が遊嵌し摺動できる凹欠部１２を凹設し、この凹欠部１２の終端に係止片８と掛止し摺動を停止させる係止突部１３を横設し、基板１１の中央の分厚い部分に生地Ｃに取り付けるための取付孔１４を設け、さらに取付部材３は平坦な座板１８の一面に、雌部材１および雄部材２のそれぞれの取付孔７、１４に挿入できる取付柱１９を突設した衣服用フックを主な構成とするものである。
【００１６】
請求項２記載の発明は、請求項１記載の発明の構成に加え、雌部材１の基板５に配設する係止片８の内側端部と隆起部６との間に水平状の平坦部１０を形成し、平坦部１０は、雄部材２に形成する係止突部１３の大きさに略等しく雄部材２が水平に戴置できるように形成した衣服用フックである。
【００１７】
請求項３記載の発明は、請求項１記載の発明の構成に加え、雌部材１の基板５に配設する係止片８の端部と隆起部６との間に水平状の平坦部１０を形成し、水平状に形成した平坦部１０から基板５の先端にかけて全体が緩やかに傾斜し、雄部材２を斜傾状に挿入できる斜面１６に形成した衣服用フックである。
【００２０】
【発明の実施の形態】
以下、この発明の衣服用フックの実施の形態について、図面を参照しながら具体的に説明する。
【００２１】
この発明の衣服用フックは、図１に示す第１実施形態および図１４に示す第２実施形態の衣服用フックはともに、雌部材１と雄部材２および取付部材３とから形成され、雌部材１は取付部材３によって生地Ｃに取り付け、また雄部材２も取付部材３によって生地Ｃに取り付けて雄部材２を雌部材１に差し込んで掛止する形態の雌雄タイプの掛止具である。雌部材１、雄部材２、取付部材３はともにポリアセタール、ポリアミド、ポリプロピレン、ポリプチレンテレフタレートなどの同種の熱可塑性樹脂を用いて射出成形加工または押出成形加工によって、一体成形して雌部材１、雄部材２および取付部材３を形成する。
【００２２】
第１実施形態の衣服用フックについて説明すると、雌部材１は、図２〜４に示すように、平板状の基板５の一端に表面側へ隆起する隆起部６を形成し、この隆起部６に表面側が拡大する凹陥部９をもつ、たとえば断面Ｔ字形の取付孔７を左右に２個並設し、この取付孔７に取付部材３の取付柱１９を挿入して生地Ｃに取り付ける。この隆起部６に近接した位置の基板５の両側に、雄部材２を差し込み掛止することができる一定の幅をもったフック状の係止片８を内向状に対向して突設し、隆起部６の基部と係止片８の内側端部の間に水平状の平坦部１０を設けて、雄部材２に形成した係止突部１３を戴置して雄部材２を水平状に保持できるように形成する。
【００２３】
基板５の上面は平坦部１０から基板５の先端にかけて緩やかに傾斜する斜面１６に形成し、雄部材２を斜めに差し込むことができるように形成する。なお斜面１６は傾斜度合に緩急の段差があってもよく、全体的に傾斜していればよい。また平坦部１０に隣接する隆起部６の一部にも平坦部に向けて傾斜する斜面１６’を形成して、雄部材２の差し込み操作をより容易に行えるようにする。
【００２４】
雄部材２は、図５〜７に示すように、雌部材１よりもやや長く、左右の係止片８間に挿入できる幅であって、係止片８の突出高さに略等しい厚さの基板１１から形成され、基板１１の先端は弧状に形成し、また基板１１の側面は裏面側が凹状に切欠する凹欠部１２を終端の一部を残して凹設し、この凹欠部１２は雌部材１の係止片８が遊嵌して摺動できるように形成する。
【００２５】
凹欠部１２の終端に残された基板１１の後端は、雌部材１の係止片８の側端面と当接できる係止突部１３として横方向に張り出す形に形成され、係止片８と掛止して摺動を停止させる機能をもたせる。基板１１の中央長手方向の分厚い部分に雌部材１に設けた取付孔７と略同形、すなわち表面側が拡大する凹陥部１５をもつ取付孔１４を２個並設し、この取付孔１４に取付部材３の取付柱１９を挿入して生地Ｃに取付けられるように形成する。
【００２６】
取付部材３は、図８、９に示すように、平坦な長方形の座板１８の一面に雌部材１に設けた取付孔７および雄部材２に設けた取付孔１４に合致する太さで突出する先端が尖鋭状の取付柱１９を、取付孔７、１４の間隔に一致する間隔で立設し、生地Ｃを刺通した後それぞれの取付孔７、１４に挿入し、先端を取付孔７、１４の凹陥部９、１５内へ圧潰し固定する。
【００２７】
雌部材１と雄部材２とは、図１０に示すように雌部材１のフック状の係止片８に、雄部材２の両側に形成した凹欠部１２を差し込み、雌部材１の係止片８と雄部材２の凹欠部１２の終端に形成された係止突部１３とが掛止できるように形成した衣服用フックである。
【００２８】
雌部材１あるいは雄部材２を生地Ｃに取り付けるには、図１１、１２に示すように、袋状に形成されたウエストベルトなどの生地Ｃ内に取付部材３を潜入状態に配し、取付部材３の尖鋭状の取付柱１９の先端を生地Ｃに刺通し、その先端を雌部材１に設けた取付孔７に挿入した後、取付柱１９の先端を加熱加圧または冷間加圧によって、取付孔７の凹陥部９内へ圧潰して雌部材１を固定し取り付ける。また雄部材２も同様に袋状のウエストベルトの生地Ｃ内に取付部材３を潜入状態に配し、取付部材３の取付柱１９の先端を生地Ｃに刺通した後、取付柱１９の先端を雄部材２に設けた取付孔１４の凹陥部１５内に圧潰して雄部材２を固定し取り付ける。
【００２９】
したがって、生地Ｃに雌部材１あるいは雄部材２を取付部材３によって取り付ける際、取付部材３の取付柱１９の先端を加熱加圧または冷間加圧によって圧潰させる部分が、雌部材１または雄部材２の表面に露出する取付孔７、１４の凹陥部９、１５内で行われるので、雌部材１、雄部材２を自動取付機によって簡単かつ的確に生地Ｃへ取り付けることができる利点がある。
【００３０】
一方の生地Ｃに取り付けられた雌部材１に、他方の生地Ｃに取り付けられた雄部材２を差し込んだとき、図１１に示すように雄部材２の係止突部１３が雌部材１に形成した平坦部１０上へ戴置して掛止状態が保持される。雌部材１と雄部材２とが掛止状態にあるとき、雌部材１より雄部材２が抜脱しようとしても雄部材２の係止突部１３が雌部材１の隆起部６に接触するため、雄部材２が雌部材１から簡単に抜脱するのを防ぐことができる。
【００３１】
雌部材１と雄部材２の差込操作は、図１３に示すように、雄部材２の先端を雌部材１の係止片８に宛がって押し込むと雄部材２は雌部材１に形成した斜面を滑動し、最後に係止突部１３が係止片８に当接し掛止すると同時に雄部材２を水平状態に保持する。雌部材１から雄部材２を抜脱させるには、雄部材２の係止突部１３を持ち上げる形で雄部材２を係止片８から抜き取れば簡単に抜脱させることができる。
【００３２】
次に第２実施形態の衣服用フックについて説明すると、衣服用フックは図１４に示すように第１実施形態と同様、雌部材１、雄部材２、取付部材３とから形成され、雌部材１は図１５〜１７に示すように前例と同様に平板状の基板５の一端に表面側へ隆起する隆起部６を形成し、この隆起部６の中央に表面側が拡大する凹陥部９をもつ取付孔７を設け、この取付孔７の裏面側すなわち反対側の周辺に生地Ｃに食い込む複数個の小突起２０を突設し、生地Ｃに雌部材１を取り付けたとき安定した取り付けができるように形成する。
【００３３】
隆起部６に近接した位置の基板５の両側に一定の幅をもったフック状の係止片８を内向状に対向して突設し、かつ隆起部６と係止片８の内側端部との間に水平状の平坦部１０を設けて、雄部材２に形成した係止突部１３を戴置して雄部材２が水平状に保持できるように形成する。そして、基板５の上面には平坦部１０から基板５の先端にかけて傾斜する斜面１６と、隆起部６より平坦部１０にかけて傾斜する斜面１６’とが形成され、雄部材２を斜めに差し込むことができるようにする。
【００３４】
雄部材２は図１８〜２０に示すように、前例と同様に雌部材１の長さと略同じ長さであり、左右の係止片８間に挿入できる幅であって、係止片８の突出高さに略等しい厚さの基板１１から形成され、基板１１の先端は弧状に形成し、基板１１の側面は裏面側が凹状に切欠して凹欠部１２が形成され、凹欠部１２には雌部材１の係止片８が遊嵌し摺動できるように形成する。
【００３５】
凹欠部１２の終端には雌部材１の係止片８の側端面と当接できる係止突部１３が横方向に張り出す形で形成され、係止片８と掛止して摺動を停止させる機能を備えさせ、基板１１の中央の分厚い部分に雌部材１に設けた取付孔７と同形の表面に凹陥部１５をもった取付孔１４を１個設け、取付部材３の取付柱１９が挿入できるように形成し、取付孔１４の裏面側の周辺に、生地に食い込む複数個の小突起２１を突設し、生地Ｃに雄部材２を取り付けたとき、安定した状態で取り付けられるように形成する。
【００３６】
取付部材３は図２１、２２に示すように正方形の平板状の座板１８の中心に、雌部材１に設けた取付孔７および雄部材２に設けた取付孔１４に合致する太さで突出し、先端が尖鋭状の取付柱１９を１本立設し、生地Ｃを刺通した後、取付孔７、１４に挿入して先端を凹陥部９、１５内へ圧潰する。なお座板１８は円形であってもよく、また座板１８における取付柱１９の基部周辺に生地に食い込む小突起を複数個突設し、座板１８を安定した状態で固定することもできる。
【００３７】
雌部材１と雄部材２とは、図２３に示すように前例と同様に雌部材１の基板５の両側に形成したフック状の係止片８に、雄部材２の基板１１の両側に形成した凹欠部１２を差し込んで、雌部材１の係止片８と雄部材２の凹欠部１２の終端に形成した係止突部１３とを当接させ掛止するものである。
【００３８】
雌部材１、雄部材２を生地Ｃに取り付けるには、図２４に示すように、前例と同様、袋状に形成されたウエストベルト内に取付部材３を潜入させ、尖鋭状の取付柱１９の先端を生地Ｃに刺通して表面へ現出させ、先端を雌部材１に設けた取付孔７の裏面側から挿入し、基板５の裏面側に設けた複数個の小突起２０を生地Ｃと対接させ、取付柱１９の先端を加熱加圧または冷間加圧によって、取付孔７の凹陥部９内へ圧潰して固定して雌部材１を取り付ける。また雄部材２も同様に袋状に形成したウエストベルト内に取付部材３を潜入させ、取付柱１９の先端を生地Ｃに刺通した後、取付柱１９の先端を雄部材２に設けた取付孔１４の裏面側から挿入し、基板１１の裏面側に設けた複数個の小突起２１を生地Ｃと対接させ、取付柱１９の先端を取付孔１４の凹陥部１５内へ圧潰して固定し雄部材２を取り付ける。
【００３９】
なお、取付部材３は取付柱１９が座板１８に１本立設されているが、雌部材１、雄部材２はそれぞれ基板５、１１の裏面側に設けた複数個の小突起２０、２１が生地Ｃに食い込み、雌部材１、雄部材２が取付柱１９を中心に回動するのを的確に阻止することができる。
【００４０】
一方の生地Ｃに取り付けた雌部材１に、他方の生地Ｃに取り付けた雄部材２を差し込むと、雄部材２の係止突部１３が雌部材１に設けた平坦部１０上へ戴置され安定した掛止状態を保持する。また掛止状態において雄部材２の係止突部１３が雌部材１の隆起部６に接触するため、雄部材２が雌部材１から簡単に抜脱するのを防ぐことができる。なお差込操作は前例と全く同様の操作で行えばよい。
【００４１】
【発明の効果】
この発明の衣服用フックは、以上説明したとおりの構成であり、この構成によって下記の効果を奏するものである。
【００４２】
この発明のうち請求項１記載の発明は、雌部材は基板の一端に表面側へ隆起する隆起部を形成し、隆起部に取付孔を設け、隆起部に近接した基板の両側にフック状の係止片を内向状に設けたことによって、平板状の基板を端部に形成した隆起部を活用して、簡単かつ強固に衣服などの生地に取り付けることができ、また表面側へ隆起する隆起部を形成することによって、雌部材と雄部材とが掛止状態にあるとき、雌部材より雄部材が抜脱しようとしても雄部材の係止突部が雌部材の隆起部に接触するため、雄部材が雌部材から簡単に抜脱するのを防ぐ効果がある。
【００４３】
雄部材は基板の側面は係止片が遊嵌できる凹欠部を設け、凹欠部の終端に係止片と掛止できる係止突部を横設し、基板に取付孔を設けたことによって、雄部材は雌部材と的確に掛止することができ、かつきわめて安定した状態で生地に取り付けることができる効果がある。
【００４４】
取付部材は平坦な座板の一面に雌部材、雄部材の取付孔に挿入できる取付柱を突設したことによって、取付部材は雌部材、雄部材と区別することなく共通で使用でき、体裁よく簡易に雌部材、雄部材を生地に取り付けることができる効果がある。
【００４７】
請求項２記載の発明は、請求項１記載の発明の効果に加え、雌部材の基板に配設する係止片の端部と隆起部との間に水平状の平坦部を形成し、平坦部は、雄部材の係止突部が水平に戴置できる形に形成したことによって、雌部材に雄部材を安定した状態で掛止し保持できる効果がある。
【００４８】
請求項３記載の発明は、請求項１記載の発明の効果に加え、雌部材の基板に配設する係止片の端部と隆起部との間に水平状の平坦部を形成し、平坦部から基板の先端にかけて全体が緩やかに傾斜する斜面に形成したことによって、衣服などの生地に取り付けられた雌部材に対し、斜め上方から雄部材を円滑に差し込むことができ、雄部材の差し込み操作がゆとりをもって効率よく行える効果がある。
【図面の簡単な説明】
【図１】第１実施形態の衣服用フックの分解斜視図である。
【図２】同上フックの雌部材の正面図である。
【図３】同上フックの雌部材の側面図である。
【図４】同上フックの雌部材の図２におけるＡ−Ａ線断面図である。
【図５】同上フックの雄部材の正面図である。
【図６】同上フックの雄部材の底面図である。
【図７】同上フックの雄部材の図５におけるＢ−Ｂ線断面図である。
【図８】同上フックの取付部材の正面図である。
【図９】同上フックの取付部材の底面図である。
【図１０】同上フックの雌部材と雄部材が掛止した状態を示す正面図である。
【図１１】同上フックの雌部材および雄部材を生地に取着し掛止した状態を示す一部を切断した断面図である。
【図１２】同上フックの雌部材および雄部材を生地に取着し掛止した状態を示す図１１におけるＣ−Ｃ線断面図である。
【図１３】同上フックの雌部材と雄部材との挿脱状態を示す断面図である。
【図１４】第２実施形態の衣服用フックの分解斜視図である。
【図１５】同上フックの雌部材の正面図である。
【図１６】同上フックの雌部材の側面図である。
【図１７】同上フックの雌部材の図１５におけるＤ−Ｄ線断面図である。
【図１８】同上フックの雄部材の正面図である。
【図１９】同上フックの雄部材の底面図である。
【図２０】同上フックの雄部材の図１８におけるＥ−Ｅ線断面図である。
【図２１】同上フックの取付部材の正面図である。
【図２２】同上フックの取付部材の底面図である。
【図２３】同上フックの雌部材と雄部材が掛止した状態を示す正面図である。
【図２４】同上フックの雌部材および雄部材を生地に取着し掛止した状態を示す一部を切断した断面図である。
【図２５】公知の衣服用フックの使用状態を示す正面図である。
【図２６】他の公知の衣服用フックの雌部材と雄部材の掛止状態を示す断面図である。
【符号の説明】
１        雌部材
２        雄部材
３        取付部材
５        基板（雌部材）
６        隆起部
７        取付孔（雌部材）
８        係止片
９        凹陥部（雌部材）
１０        平坦部
１１        基板（雄部材）
１２        凹欠部
１３        係止突部
１４        取付孔（雄部材）
１５        凹陥部（雄部材）
１６        斜面
１８        座板
１９        取付柱
２０        小突起（雌部材）
２１        小突起（雄部材）
Ｃ          生地
【図１】
0003952433.tif 000002
【図２】
0003952433.tif 000003
【図３】
0003952433.tif 000004
【図４】
0003952433.tif 000005
【図５】
0003952433.tif 000006
【図６】
0003952433.tif 000007
【図７】
0003952433.tif 000008
【図８】
0003952433.tif 000009
【図９】
0003952433.tif 000010
【図１０】
0003952433.tif 000011
【図１１】
0003952433.tif 000012
【図１２】
0003952433.tif 000013
【図１３】
0003952433.tif 000014
【図１４】
0003952433.tif 000015
【図１５】
0003952433.tif 000016
【図１６】
0003952433.tif 000017
【図１７】
0003952433.tif 000018
【図１８】
0003952433.tif 000019
【図１９】
0003952433.tif 000020
【図２０】
0003952433.tif 000021
【図２１】
0003952433.tif 000022
【図２２】
0003952433.tif 000023
【図２３】
0003952433.tif 000024
【図２４】
0003952433.tif 000025
【図２５】
0003952433.tif 000026
【図２６】
0003952433.tif 000027